Podtech/llm-jp-corpus-v4-ja_patent huggingface dataset:
(57)【要約】      （修正有）【課題】クーラントをドリル、タップに集中的に、当てる事ができる装置とすること。【解決手段】クーラントノズル交換によって、パイプのΦ２ｍｍノズルにより集中的に噴射出来きるクーラントノズル装置。取り付け加工なし、プラスドライバーのみで交換。【選択図】図３
2017132029.tif 000002
【特許請求の範囲】
【請求項１】
クーラントノズル交換によって、パイプのΦ２ｍｍノズルにより集中的に噴射出来きるクーラントノズル装置。取り付け加工なし、プラスドライバーのみで交換。
【発明の詳細な説明】
【技術分野】
【０００１】金属加工製造業による加工。センター穴、ドリル切削、タップ加工。
本発明は、クーラントをドリル、タップに集中的に、当てる事ができる装置である。
【背景技術】
【０００２】クーラントノズルは、標準装備で付いており、通常の機能はしていた。【０００３】しかし、ノズルはドリルとの距離が遠い為、クーラントが広い範囲に飛び散る欠点があった。また、適切な位置に合わせるのが大変困難であった。【０００４】一般的なクーラントノズル使用において、この欠点はドリル切削に関して、大きな障害である。具体的には、上手くクーラントが当たらない為、焼き付いてドリル破損しあるいは、面相度が悪くなる問題があった。【０００５】
【課題を解決するための手段】
【０００６】この改善策として、パイプノズルを使用し、近い位置でノズル噴射方法がある。
本発明は、ドリル先端にクーラントが集中する最も主要な特徴とする。
【発明の効果】
【０００７】本発明のクーラントノズルは、今までのノズルに交換するのみという利点がある。
位置合わせも容易にでき、クーラント圧力が上がるのでドリル破損が防ぐことが出来る。
【図面の簡単な説明】
【０００８】
【図１】外観ノズル装置形状
【図２】旋盤に取り付けた状態図
【図３】ノズル装置形状寸法
【図４】クーラント噴射図
１：ブッシュ
２：ノズルパイプ
３：ノズル穴
【図１】
2017132029.tif 000003
【図２】
2017132029.tif 000004
【図３】
2017132029.tif 000005
【図４】
2017132029.tif 000006
(57)【要約】      （修正有）【課題】バナナを冷蔵庫にて長期保存させることができる素材を提供する。【解決手段】素材１は外側を冷蔵庫の冷気から遮断するため、保冷袋のように密閉度の高い物にし、又、内側の素材は他の商品とあたって変色しないよう空気の層ができるものにする必要がある。出し入れが簡単になるよう、ファスナー２を出し入れ口に取り付ける。ファスナー（素材上部付近）のしたあたりに、カビ対策として水分を逃がすための穴３を複数あける。【選択図】図２
2017132546.tif 000002
【特許請求の範囲】
【請求項１】
保冷素材のような外側が密閉されていて、内側に空気の層のできる素材を使用。バナナの出し入れ口にファスナーを使用。ファスナーの下付近に、カビの発生を防ぐ小さな穴を複数開ける。
【発明の詳細な説明】
【技術分野】
【０００１】  本製品は、バナナを長持させることに用いる製品である。この製品にバナナを入れて、冷蔵庫に入れておくと室温で保存するよりも、倍以上長く黒くならずに保存できる。夏なら１週間程、冬なら１０日程の保存が見込まれる。
【背景技術】
【０００２】  日本国内では、バナナは熟成させ黄色くなってから、出荷されるため保存期間が短く、数日すると黒く変色してじゅくじゅくで見た目も悪くなっていたが、本製品を使用することにより、変色までの期間が延長した。
【先行技術文献】
【特許文献】
【０００３】
【特許文献１】
【発明の概要】
【発明が解決しようとする課題】
【０００４】  夏場常温保存すると、３日ほどで、黒く変色する。しかし、冷蔵庫で普通に保存すると、冷気によって痛むことになる。この製品には当初次のような欠点があった。密閉して使用するため、長期保存するとカビが発生したことがある。
【課題を解決するための手段】
【０００５】  この製品に入れて冷蔵保存すると余分な冷気を防ぎかつ空気の層により長期保存が可能となった。バナナを買ってきたときパックから出して使用。製品にも小さな穴を複数開けることでカビ発生の問題を解決。
【発明の効果】
【０００６】  長期保存が可能となり、まとめ買いができるようになった。
【図面の簡単な説明】
【０００７】
【図１】  本発明の展開図である
【図２】  本発明の傾図である
【発明を実施するための形態】
【０００８】  昔の牛乳パックのような形をしている。バナナを出し入れするのに適していると思われるためこの形にした。
【符号の説明】
【０００９】１  本体・冷気を防ぎかつ空気の層のある素材
２  ファスナー
３  穴
【図１】
2017132546.tif 000003
【図２】
2017132546.tif 000004
(57)【要約】【目的】  安定的に長時間飛行させることができ、かつまた、電池切れなどによる墜落の事態を避けることができる安全性の高いマルチコプターを目的とする。【構成】  マルチコプターにおいて、プロペラを駆動用と制御用に分け、エンジンにより駆動用プロペラを回転させ、また、エンジンからの動力を用いて発電機で発電した電気を蓄電し、この電力により飛行制御用のプロペラのモーターを駆動させることにより、安定的に長時間飛行させることができ、かつまた、エンジンが停止しても飛行制御用プロペラで安全に降下できる駆動機構を有する。【特許請求の範囲】
【請求項１】
エンジンで上昇下降用プロペラを駆動させ、モーターで飛行制御用プロペラを駆動させることができるマルチコプター。
【請求項２】
エンジンで上昇下降用プロペラを駆動させ、エンジンにより発電して蓄電した電力を用いたモーターで飛行姿勢制御用プロペラを駆動させることができるハイブリッド型駆動マルチコプター。
【請求項３】
一つのエンジンで上昇下降用プロペラを駆動させ、エンジンにより発電して蓄電した電力を用いたモーターで飛行姿勢制御用プロペラを駆動させることができるハイブリッド型駆動マルチコプター。
【請求項４】
エンジンにより発電して蓄電した電力を用いて駆動するモーターを有するマルチコプター。
【請求項５】
エンジンにより発電して蓄電した電力を用いたモーターで飛行姿勢制御用プロペラを駆動させることができるマルチコプター。
【発明の詳細な説明】
【発明の詳細な説明】
【技術分野】
【０００１】  この発明はマルチコプター（多翼無人機）の駆動機構に関するものである。
【従来の技術とその課題】
【０００２】  マルチコプターは、様々な状況での撮影や調査、物資の運搬に利用や応用されようとしている。マルチコプターは、複数のプロペラをバランスよく回転させることによって飛行し、上昇及び下降はプロペラの回転数の増減によって行い、前進・後進などは複数のプロペラの回転数の増減で機体姿勢を傾けることで行われる。プロペラは固定ピッチが通常使われ、右回り、左回りのものが交互に配置されることで、回転の反作用を打ち消しあい、ＧＰＳやジャイロセンサーによって機体を制御させるが、プロペラの回転数制御にはモーターが使用されている。そして、モーターの駆動にはＬｉイオンバッテリーが通常用いられる。バッテリーの容量とマルチコプターの重量や飛行時間の関係はトレードオフの関係にあるため、飛行時間は制限される。このため、長時間飛行や長距離飛行には難があり、救急物資の離島間長距離輸送、災害の長時間空撮や調査、火山観測などに課題がある。さらに、墜落事故の多くはバッテリーの電池切れによるものであり、安全性についても課題がある。
これを避けるためにエンジンによるものがあるが、多数のエンジンを制御する必要があり、制御機構が複雑であり、また、一つのエンジンで多数のプロペラを駆動する場合、プロペラのピッチを可変にすることで飛行制御が可能であるが、可変ピッチ機構が複雑となり、信頼性の確保が難しい。
【発明が解決しようとする課題】
【０００３】  マルチコプターの飛行時間を延長し、十分に長い時間の調査や観察、輸送を可能にするとともに、マルチコプターの駆動源をエンジン及びバッテリーに複数化して安全性を高めることが必要である。
【課題を解決するための手段】
【０００４】  本発明は、エンジンによりマルチコプターの上昇及び下降用の主プロペラを駆動させるとともに、エンジンに発電機を接続し発電させてバッテリーに蓄電し、このバッテリーからの電気によりモーターを回転させて飛行姿勢制御用プロペラを駆動し、よって、マルチコプターの飛行時間を延ばすとともに、エンジンが万が一停止してもバッテリーからの電力によりモーターで飛行姿勢制御用プロペラを駆動させて、墜落することなく安全に降下させることのできるものである。
【０００５】  この発明において、エンジン駆動により長時間飛行を可能にするとともに、エンジンで発電しバッテリーに蓄電することにより制御が容易なモーターにより飛行制御を行い長時間の飛行が可能になるものであり、そればかりでなく、エンジンが停止してもバッテリーからの電力により飛行姿勢制御用のプロペラを駆動して墜落することなく安全に降下できるものである。
【発明の実施形態】
【０００６】  エンジンは特に限定されるものではないが、より良い映像を撮影することが要求されることが多いので、振動が少ない水平対抗型エンジンが推奨される。また、エンジンからギヤを介して右回りと左回りにそれぞれプロペラを回転させることによりプロペラのピッチを変化させることなく上昇や下降が回転数を変えるだけで可能となる。
【０００７】  飛行姿勢制御用のプロペラは、エンジンに取り付けた発電機により発電された電力をバッテリーに蓄電し、その電力を用いたモーターにより駆動させる。
【０００８】  マルチコプターとしてオクトコプターが推奨されるが、これに限定されるものではない。
【発明の効果】
【０００９】  この発明の効果は、従来のマルチコプターは制御を容易にするためにモーター駆動であり、そのために飛行時間がバッテリーの容量に限定されていたが、エンジンを用いて駆動するプロペラにより上昇下降を行い、一方、飛行姿勢制御にはエンジンにより発電した電力を蓄電して、その電力を用いて姿勢制御用プロペラを駆動することにより長時間飛行を可能ならしめるとともに、安定した飛行制御を可能にし、かつ、エンジン停止においてもバッテリーからの電力により姿勢制御用プロペラを駆動させて安全に下降することができる。このため、救急物資の離島間長距離輸送、災害の長時間空撮や調査、火山観測などが可能になるばかりか、墜落することなく安全な運行ができる。
(57)【要約】【課題】  従来の自動二輪車用尻痛軽減具にあっては、同じ姿勢で長時間シート上に腰掛けて乗車しているため、たとえシート上に柔らかいクッション状の尻当てを置いて使用したとしても、期待したほど尻痛を改善することができない、という問題点があった。【解決手段】  上記課題を達成するために、本発明の自動二輪車用尻痛軽減具においては、左右両端に可動式フットレスト一対を設けたフレーム状基体に取付け板を固着し、この取付け板と取付け具とでエンジン前側の車体フレームを着脱可能に挟着する。【選択図】図１
2017132446.tif 000002
【特許請求の範囲】
【請求項１】
左右両端に可動式フットレスト一対を設けたフレーム状基体に取付け板を固着し、この取付け板と取付け具とによってエンジン前側の車体フレームを着脱可能に挟着した自動二輪車用尻痛軽減具。
【発明の詳細な説明】
【技術分野】
【０００１】  本発明は、自動二輪車に取付ける尻痛軽減具に関する物である。
【背景技術】
【０００２】  従来の自動二輪車用尻痛軽減具においては、太ももを支えて体重を分散させるようにしたもの（例えば、特許文献１参照）や、シート上にクッションを置いて、体重の圧力を分散することを目的にしたもの（例えば、非特許文献１参照）があったが、効果的なものではなかった。
【先行技術文献】
【特許文献】
【０００３】
【特許文献１】  特開２０１２−１１１４７３号  自動二輪車用尻痛軽減具
【非特許文献】
【０００４】
【非特許文献１】  「株式会社プロト  ｗｅｂｐａｇｅ  ゲルザブ」「株式会社ジャペックス  ｗｅｂｐａｇｅ  エアークッション」
【発明の概要】
【発明が解決しようとする課題】
【０００５】  従来の自動二輪車用尻痛軽減具にあっては、同じ姿勢で長時間シート上に腰掛けて乗車しているため、たとえシート上に柔らかいクッション状の尻当てを置いて使用したとしても、シート上にかかる体重の圧力を少ししか分散できないので、期待したほどの尻痛を改善する効果を得ることができない、という問題点があった。
また、こういった器具等を使用しない場合においては、乗車中にフットレストから足を外したり、臀部をずらしたり、立位になるといった乗車姿勢をして臀部の血流の回復やエンジンからの振動による尻痛を和らげていたが、動ける範囲が限られているため窮屈で効果の少ないものであった。【０００６】  本発明はこの尻にかかる体重の圧力を減らし、長時間乗車していても尻痛を発生しない安全で快適な乗り心地を得る器具を提供することを目的とする。
【課題を解決するための手段】
【０００７】  上記課題を達成するために、本発明の自動二輪車用尻痛軽減具においては、左右両端に可動式フットレスト一対を設けたフレーム状基体に取付け板を固着し、この取付け板と取付け具とによってエンジン前側の車体フレームを着脱可能に挟着する。【０００８】  上記のように構成された自動二輪車用尻痛軽減具は、（図２）搭乗者は足裏を通常装備されているフットレストの位置だけでなく、前方に位置する可動式フットレストまで移動することができる
【発明の効果】
【０００９】  自動二輪車のエンジン前側の車体フレームに可動式のフットレストを取付けることによって、搭乗者は通常のフットレストの位置より前方に脚を伸ばしたりして乗車中に様々な姿勢をとることができる。それにより、臀部にかかる体重の圧力を軽減することができ、長時間乗車した場合の体重の圧力による臀部の血行不良や、エンジンの振動による臀部への刺激等の悪影響を軽減することができとともに、不快な尻痛によって注意力が散漫になり運転が不安定になるという状態も改善できるので、安全で快適な乗り心地を維持した状態で長時間走行が楽しめるようになった。【００１０】  また、可動式フットレストの位置を、足裏の踵でフットブレーキ及びシフトペダルを操作できる位置に取付けることによって、可動式フットレストに足を置いたままブレーキ操作及び一部のギアチェンジ操作を行うことができる。【００１１】  そして、着脱可能としたことによって、必要のないときは容易に取外す事ができる。【００１２】  さらに、可動式フットレストを採用したことにより、使わない時は上方に折りたたんでおけば邪魔にならず、デザイン的にも優れたものとなった。そして、フレーム状基体と取付け板は一体となってエンジン前部に位置し、かつ両端はエンジンより外側に位置するため、前方からの障害物による破損を防止する効果とともに、車体が転倒した時にはエンジンを保護する効果もある。
【図面の簡単な説明】
【００１３】
【図１】本発明を車体に取付けた状態の斜視図
【図２】本発明を自動二輪車に取付けて乗車した状態の側面図
【図３】本発明を自動二輪車に取付けた状態を上方から見た外観図
【図４】本発明を自動二輪車に取付けた状態を前方から見た外観図
【発明を実施するための形態】
【００１４】  以下、本発明の実施の形態を図１〜図４に基づいて説明する。
【００１５】  図１、３、４においては、コの字状に形成したフレーム状基体１の両端にネジ穴１ａを螺刻し、ネジ６０で可動式フットレスト２を取付け、この可動式フットレスト２が任意の角度をもって回動するようにフレーム状基体１の両端にストッパー３を設ける。
そして、任意の位置に取付け挟着用穴４ａを設けた取付け板５をフレーム状基体１に溶着し、同様に取付け挟着用穴４ｂを有する断面がスプーン状の取付け具６により、エンジン前側の車体フレーム７に挟着具８を用いて着脱可能に挟着する。
なお、車体フレーム７と取付け板５と取付け具６が接する面には緩衝用のゴム材９を設けた。
【００１６】  以下、上記構成の動作を説明する。図２参照。
自動二輪車用尻痛軽減具を取付けた自動二輪車の乗車者は、長時間の乗車による尻痛を軽減したいときは折畳んである可動式フットレスト２を外側に展開し、両足または片足の足先を通常の位置にあるフットレスト３０から前方の可動式フットレスト２の位置に移動して乗車姿勢を変えることによって尻にかかる体重の圧力を任意に変化させて、臀部の血流改善やエンジン１０の振動による痺れ等の痛みを緩和することができる。
【００１７】  例を挙げると、最も尻にかかる体重の圧力を少なくするには、両足先の裏を可動式フットレスト２に置き、上体をやや前屈みし、脚を突っ張りながらシート５０を内股で挟むような姿勢をとれば、尻にかかる圧力をほぼゼロにする事ができる。その他、片足のみを可動式フットレスト２に置いて片方の尻をシート５０からずらしたり浮かせたりする等、必要に応じて様々な乗車姿勢を容易に得ることができる。
【符号の説明】
【００１８】  １  フレーム状基体
１ａ  ネジ穴
２  可動式フットレスト
３  ストッパー
４ａ、４ｂ  挟着用穴
５  取付け板
６  取付け具
７  車体フレーム
８  挟着具
９  ゴム材
１０  エンジン
２０  シフトペダル
３０  フットレスト
５０  シート
６０  ネジ
【図１】
2017132446.tif 000003
【図２】
2017132446.tif 000004
【図３】
2017132446.tif 000005
【図４】
2017132446.tif 000006
(57)【要約】【課題】  文化庁の指針に沿った漢字の採点を支援することができる漢字採点シートを提供する。【解決手段】  漢字採点シート１は、試験の各設問の漢字の模範解答３１と、その複数の許容解答例３２とが相互に対応づけられて左から右に印刷されている。複数の許容解答例３２は、「長短」、「方向」、「はなれ」、「はらい」、「はね」、「とめ」等の少なくとも一つの字形が異なる。【選択図】図１
2017132131.tif 000002
【特許請求の範囲】
【請求項１】
漢字試験の解答の採点に用いられる漢字採点シートであって、
前記漢字の模範解答と、複数の許容解答例とが各設問毎に対応づけられて印刷されている
漢字採点シート。
【請求項２】
前記設問毎に、前記模範解答と、単数または複数の許容解答例とが左から右に向けて順に印刷されている
請求項１に記載の漢字採点シート。
【請求項３】
前記複数の許容解答例は、「長短」、「方向」、「はなれ」、「はらい」、「はね」、「とめ」等の少なくとも一つの字形が異なる
請求項１または請求項２に記載の漢字採点シート。
【請求項４】
前記複数の許容解答例は、文部省の指針を基に規定されている
請求項１〜３のいずれかに記載の漢字採点シート。
【発明の詳細な説明】
【技術分野】
【０００１】
本発明は、漢字採点シートに関するものである。
【背景技術】
【０００２】
通常、小学生などの国語の試験では、採点者に正解シートが配布され、採点者はその正解シートを見ながら採点を行う。このような従来の正解シートは、１つの漢字の問題について１つの模範解答の漢字が印刷されている。
【発明の概要】
【発明が解決しようとする課題】
【０００３】
ところで、文化庁の指針により、常用漢字について漢字問題の手書きによる正解は、模範解答の字形以外に複数の字形が規定されている。
しかしながら、上記文化庁の指針の全てを採点者が把握することは困難であり、文化庁の指針を基準にすると正解とすべき解答が不正解と採点されてしまう場合があるという問題がある。
【０００４】
本発明はかかる事情に鑑みてなされたものであり、その目的は、文化庁の指針に沿った漢字の採点を支援することができる漢字採点シートを提供することにある。
【課題を解決するための手段】
【０００５】
上述した従来技術の問題を解決するために、本発明の漢字採点シートは、漢字試験の解答の採点に用いられる漢字採点シートであって、前記漢字の模範解答と、単数または複数の許容解答例とが各設問毎に対応づけられて印刷されている。
【０００６】
この構成によれば、漢字採点シートには、前記漢字の模範解答に加えて、単数または複数の許容解答例とが各設問毎に対応付けて印刷されている。そのため、採点者は、答案の解答の字形を見て、それが模範解答とは違っていても、複数の許容解答例のいずれかと同じであれば正解と判断できる。そのため、採点者は、その知識量によらず、文化庁の指針に沿った採点を行うことできる。
【０００７】
好適には本発明の漢字採点シートは、前記設問毎に、前記模範解答と、複数の許容解答例とが左から右に向けて順に印刷されている。
【０００８】
この構成によれば、採点者が、各設問についての前記模範解答と、複数の許容解答例との対応が見やすく、採点効率を高めることができる。
【０００９】
好適には本発明の漢字採点シートは、前記複数の許容解答例は、「長短」、「方向」、「はなれ」、「はらい」、「はね」、「とめ」等の少なくとも一つの字形が異なる。
【００１０】
この構成によれば、文化庁の指針において許容された「長短」、「方向」、「はなれ」、「はらい」、「はね」、「とめ」等について正しい採点が可能になる。
【発明の効果】
【００１１】
本発明によれば、文化庁の指針に沿った漢字の採点を支援することができる漢字採点シートを提供することができる。
【図面の簡単な説明】
【００１２】
【図１】図１は、本発明の実施形態に係わる漢字採点シートの一例の構成図である。
【図２】図２は図１に示す漢字採点シート１の部分拡大図である。
【発明を実施するための形態】
【００１３】
以下、本発明の実施形態に係わる漢字採点シートについて説明する。
図１は、本発明の実施形態に係わる漢字採点シート１の一例の構成図である。図２は図１に示す漢字採点シート１の部分拡大図である。
漢字採点シート１は、漢字試験の解答の採点に用いられる。
【００１４】
図１に示すように、漢字採点シート１は、試験の各設問の漢字の模範解答３１と、その複数の許容解答例３２とが相互に対応づけられて印刷されている。
【００１５】
図１に示す例では、設問毎に、模範解答３１と、複数の許容解答例３２とが紙面の左から右に向けて順に印刷されている。
また、複数の許容解答例３２は、図２に示すように、「長短」、「方向」、「はなれ」、「はらい」、「はね」、「とめ」等の少なくとも一つの字形が異なる。
【００１６】
以上説明したように、本実施形態の漢字採点シート１には、漢字の模範解答３１に加えて、複数の許容解答例３２とが各設問毎に対応付けて印刷されている。そのため、採点者は、答案の解答の字形を見て、それが模範解答３１とは違っていても、複数の許容解答例３２のいずれかと同じであれば正解と判断できる。そのため、採点者は、その知識量によらず、文化庁の指針に沿った採点を行うことできる。
【００１７】
また、漢字採点シート１によれば、採点者が、各設問についての模範解答３１と、複数の許容解答例３２との対応が見やすく、採点効率を高めることができる。
【００１８】
また、漢字採点シート１によれば、文化庁の指針において許容された「長短」、「方向」、「はなれ」、「はらい」、「はね」、「とめ」等について正しい採点が可能になる。
【００１９】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００２０】
上述した実施形態では、３種類の許容解答例３２の欄を印刷した場合を例示したが、１以上であればその数は任意である。
【００２１】
また、模範解答３１および許容解答例３２の順番、並びに並び方向は特に限定されない。また、その他に誤答例を印刷してもよい。
【産業上の利用可能性】
【００２２】
本発明は、漢字試験の採点に用いられる採点シートの分野に適用可能である。
【符号の説明】
【００２３】
１…漢字採点シート
【図１】
2017132131.tif 000003
【図２】
2017132131.tif 000004
(57)【要約】【解決手段】  鉱物油，増粘剤，カプサイシン，ハッカ油，ハーブ系植物エキスを主成分とする忌避剤に所定量の難燃剤を混合し，消防危第５０号に規定された方法にて測定された酸素指数が少なくとも３０．９以上であることを特徴とする。【効果】  鳥類に対する忌避効果を維持しつつ，同時に充分な非延焼性も有する鳥類忌避剤が得られる。【選択図】図１
2017132749.tif 000002
【特許請求の範囲】
【請求項１】
鉱物油，増粘剤，カプサイシン，ハッカ油，ハーブ系植物エキスを主成分とする忌避剤に所定量の難燃剤を混合し，消防危第５０号に規定された方法にて測定された酸素指数が少なくとも３０．９以上であることを特徴とする非延焼性を有する鳥類用忌避剤。
【請求項２】
通常の大気に含まれる酸素濃度下での燃焼率が５％未満であることを特徴とする請求項１に記載の非延焼性を有する鳥類用忌避剤。
【発明の詳細な説明】
【技術分野】
【０００１】  本発明は，非延焼性を有する鳥類用忌避剤に関する。
【背景技術】
【０００２】  従来から，鳩，雀，ムクドリなどの鳥が樹木や電柱，ベランダ，建物，駅ホームの梁などに飛来して止まり，排泄した糞による糞害が生じている。また，止まった鳥の鳴き声による近隣住人に対する騒音被害も発生している。
それに対し，鳥類の忌避剤として例えば，増粘剤，辛味成分，精油を含有し，その増粘剤，辛味成分，精油が植物由来成分である鳥忌避剤（特許文献１）などが提案されている。
一方，建築物の壁や床，またトンネル内や地中に敷設されたケーブルなどにおいて，火災発生時の延焼を食い止めるために防火用塗料を表面や内部に塗布することが従来より行われているが，この防火用塗料により形成された塗膜が鼠，もぐら，白蟻などの有害動物により損傷を受けないようにするため，難燃剤にテルペノイド系動物忌避剤を混合することも提案されている（特許文献２）
【先行技術文献】
【特許文献】
【特許文献１】特開２０１４−１５２１４０号公報
【特許文献２】特許第２８５７４５３号公報
【発明の概要】
【発明が解決しようとする課題】  上記特許文献１に記載された鳥類の忌避剤では，火災発生時の延焼防止については考慮されていない。また，特許文献２では延焼防止と動物の忌避の両方の効果を得ることができるが，あくまでも鼠，もぐら，白蟻などの地中や地面で活動する動物を対象にしているため，鳥類に対する忌避効果は充分でない。
一方，特に駅などのような公共施設において，火災発生時の対策は必須であり，鳥類に対する忌避効果はもちろん，火災時において忌避剤が原因となる延焼は防止することが求められている。
そこで，本発明は，鳥類に対する忌避効果を維持しつつ，延焼防止効果も高い鳥類用忌避剤を提供することを目的とする。
【課題を解決するための手段】  本願請求項１に記載の発明は，鉱物油，増粘剤，カプサイシン，ハッカ油，ハーブ系植物エキスを主成分とする忌避剤に所定量の難燃剤を混合し，消防危第５０号に規定された方法にて測定された酸素指数が少なくとも３０．９以上であることを特徴とする。
本願請求項２に記載の発明は，請求項１に記載された発明において，通常の大気に含まれる酸素濃度下での燃焼率が５％未満であることを特徴とする。
【発明の効果】  本発明は，鳥類に対する忌避効果を維持しつつ，同時に充分な非延焼性も有する鳥類忌避剤が得られる。
【発明を実施するための形態】
［実施例］
忌避成分の割合（重量％）を８０％，難燃剤（難燃グリース）の割合（重量％）を２０％とし，忌避成分として鉱物油，増粘剤，カプサイシン及びハッカ油，ハーブ系植物エキスを配合したものを準備した。
忌避剤には油分が多量に含まれているため，そのままでは着火させると消火できず延焼が起きてしまうが，本発明の忌避剤においては，難燃剤を２０％配合しているので，忌避効果を低下させることなく，非延焼性も確保できる。
図１に，実施例における酸素指数の測定結果を示す。試験方法は消防危第５０号による。横軸は酸素濃度（％），縦軸は換算燃焼率（％）を示す。なお，この実施例における忌避剤の燃焼点は２４０℃であった。
酸素指数とは，換算燃焼率が５０％における酸素濃度を指すが，図１より，実施例における酸素指数は３０．９であった。
また，図１より，酸素濃度２１％（大気に含まれる酸素濃度とほぼ同じ）における換算燃焼率は４．８％であり，大気中における燃焼率は非常に低いことがわかった。
［比較例］
比較例として，難燃剤を含まない忌避剤（忌避成分は実施例と同様）を準備し，実施例と同様に酸素指数の測定を行った。
図２に，比較例における酸素指数の測定結果を示す。図２より，比較例における酸素指数は１８．４であった。つまり，大気中の酸素濃度より低い酸素濃度でも燃焼率が５０％に達し，延焼を防ぐことが困難であることがわかった。なお，酸素濃度２１％における換算燃焼率は７１．８％であった。
この結果より，実施例における忌避剤は，比較例に比べ非延焼性が格段に優れているこ  とが明らかとなった。
【図面の簡単な説明】
【図１】  この発明の実施例を示すグラフである。
【図２】  従来の忌避剤を示すグラフである。
【図１】
2017132749.tif 000003
【図２】
2017132749.tif 000004
(57)【要約】【課題】短冊がずれず、短冊がデザインを邪魔せず見栄えの良い金封を提供する。【解決手段】金封表紙中央に模様を配置し、距離を取って２ヶ所の切断面を配置することにより、短冊がずれず、見栄えの良い金封を実現した。【選択図】図４
2017057007.tif 000002
【特許請求の範囲】
【請求項１】
表紙中央部に模様を配し、該模様の上下２か所に切り込みを入れた多当金封。
【請求項２】
請求項１の前記多当金封の該模様に水引が掛かり、該切り込みに掛からないように配したことを特徴とする金封。
【請求項３】
表紙中央部に模様を配し、該模様の上下２か所に切り込みを入れ、該切り込みから紙片を挿入するガイド片を設けた多当金封。
【請求項４】
請求項３の前記多当金封の該模様に水引が掛かり、該切り込みに掛からないように配し、該切り込みから紙片を挿入するガイド片を設けた金封。
【請求項５】
前記ガイド片は前記上下２か所の切込みの間にある模様の裏面を、該切込みを挟んで通したことを特徴とする請求項３に記載の多当金封。
【請求項６】
前記ガイド片は前記上下２か所の切込みの間にある模様の裏面を、該切込みを挟んで通したことを特徴とする請求項４に記載の金封。
【発明の詳細な説明】
【技術分野】
【０００１】本発明は慶弔用の金封に関する。
【背景技術】
【０００２】わが国では従来から慶事仏事においては金封に紙幣を包んで贈ることが習慣となっている。
その際には短冊と呼ばれる紙片に贈る目的と贈り主の氏名を記載し、金封本体とそれを留めるために中央に掛けられたリング状の水引との間に短冊を挟むのが一般的である。
【先行技術文献】
【特許文献】
【０００３】
【特許文献１】実用新案登録台３１４８９３６号
【発明の概要】
【発明が解決しようとする課題】
【０００４】従来の技術による金封では短冊が非常にずれやすいという問題があった。
その問題を解決しようとした先行技術として特許文献１が存在する（図１）。
この技術は金封中央部に２ヶ所の切込みを入れ、そこに短冊を通すこととしている。【０００５】また、切込みに関しては水引飾りで覆うことにより、見栄えの良さを確保している。
しかし、このやり方では、水引飾りによって切込みを隠す必要があるため、切込み部分の上下間隔を大きくできず、従い、短冊が多少のずれを生じるとともに切込部分の耐久性に問題があった。
耐久性を上げるためには切込み部分の上下間隔を大きくとる必要があるが、そうした場合、水引飾りで切込み部分を隠すことが出来なくなり、非常に不恰好になるという問題があった。
【課題を解決するための手段】
【０００６】表紙中央部に模様を配し、該模様の上下２か所に切り込みを入れた多当金封にて実現し、更に前記多当金封の該模様に水引が掛かり、該切り込みに掛からないように配したことを特徴とする金封でも実現した。また、この多当金封、又は金封の切り込みに短冊をスムーズに通すためにガイドも設けて実現した。【０００７】この短冊の挿入にはこの切込みにあらかじめ紙片ないし樹脂片を挿入しておき、ガイドとしての機能を実現している。
【発明の効果】
【０００８】これにより短冊がデザインの邪魔をすることなく、また切込み間の距離を広くとることから短冊及び切込み部分の耐久性を確保することが可能になった。
また、摩擦に係る部分が増えたため、他の切込みを用いずとも、短冊の固定が可能となっている。このガイドを設けたことにより、スムーズに短冊を通すことができる。
【図面の簡単な説明】
【０００９】
【図１】従来技術の説明図
【図２】本発明の実施例
【図３】本発明の実施例
【図４】本発明の実施例
【発明を実施するための形態】
【００１０】図２は表紙中央部に模様を配し、該模様の上下２か所に切り込みを入れた多当金封を示す。
金封４中央部に距離を置いて切込み７，８を設け、その間には模様６を配置する。
そして、６を遮らないように短冊５を７から６の裏側を通るように通し、８から表側に出す。
【００１１】図３は前記多当金封の該模様に水引が掛かり、該切り込みに掛からないように配したことを特徴とする金封を示す。
金封９中央部に距離を置いて切込み１２，１３を設け、その間には模様１１を配置する。そして、１１を遮らないように短冊１０を１２から１１の裏側を通るように通し、１３から表側に出す。最後に水引を輪状にして９中央部に掛ける。
【００１２】図４は表紙中央部に模様を配し、該模様の上下２か所に切り込みを入れた多当金封を示す。予め切り込み１９，２０に紙又は樹脂片のガイド片１７を通しておくことにより、新たに短冊を１６に挿入する際に折れることなくスムーズに挿入できる。つまり、このガイド片は上下切込みの間にある模様裏面を通しておく。一方、金封はこの多当金封に水引を輪状にしたものであるから図は略す。
この多当金封、又は金封を製造する際にこのガイド片を設ける作業においては裏面から挿入しておく。
尚、この多当金封は封筒にも転用できる。
【符号の説明】
【００１１】１      金封
２      短冊
３      スリット
４      金封
５      短冊
６      模様
７      切込み１
８      切込み２
９      金封
１０    短冊
１１    模様
１２    切込み３
１３    切込み４
１４    水引
１５    金封
１６    短冊
１７    ガイド片
１９    切込み１
２０    切込み２
【図１】
2017057007.tif 000003
【図２】
2017057007.tif 000004
【図３】
2017057007.tif 000005
【図４】
2017057007.tif 000006
(57)【要約】【課題】シャンプーなどのポンプ付きボトルにおいて、詰め替え用パックから内容液を詰め替える際、取り外した手押しポンプを任意の場所に置く必要がある。しかしながら手押しポンプの吸い上げ用パイプには内容液が付着しており、また吸上げ用パイプの中に内容液が残っている場合もあるため、置いた箇所に内容液で汚れる。そのため、詰め替え作業のあとに、手押しポンプの置いた箇所を拭き取るなどの掃除が必要であった。この面倒な作業を解決するポンプヘッドスタンドを提供する。【解決手段】取り外した手押しポンプ３を、傾斜のあるポンプヘッド台５に置き、支持部７で装着キャップ６を支え、手押しポンプ３を逆立ちさせることで、ボトル２の内容液が吸い上げ用パイプ８の内外に付着していても、内容液がこぼれずに詰め替え作業が可能となる。【選択図】図１
2017057018.tif 000002
【特許請求の範囲】
【請求項１】
ポンプ付きボトルにおける手押しポンプのポンプヘッドが収まる台に、装着キャップの支持部を設け、手押しポンプを逆さに自立させる構造を特徴としたスタンド。
【発明の詳細な説明】
【技術分野】
【０００１】
本発明は、ポンプ付きボトルの内容液を詰め替える際に、取り外した手押しポンプを自立させるのに使用する器具に関する。
【背景技術】
【０００２】
シャンプーなどのポンプ付きボトルにおいて、詰め替え用パックから内容液を詰め替える際、取り外した手押しポンプを任意の場所に置く必要がある。このとき手押しポンプは不安定な形状で自立しないため、置くときは面倒である。
【０００３】
さらに、手押しポンプの吸上げ用パイプの外側には内容液が付着しており、また吸上げ用パイプの中に内容液が残っている場合もあるため、その状態で手押しポンプを任意の場所に置くと、内容液がこぼれたりして汚れる。
【０００４】
そのため、詰め替え作業のあとに、手押しポンプの置いた箇所を拭き取るなどの掃除が必要であった。
【先行技術文献】
【特許文献】
【０００５】
【特許文献１】特開２０１５−１０７８２９
【特許文献２】特開２０１３−１７７１９９
【特許文献３】特開２００９−４０５０１
【特許文献４】特開２０１２−０８２００８
【特許文献５】特開２０１４−１５２５９
【特許文献６】実願２０１２−６４１４
【特許文献７】特開２００７−１８２２５５
【特許文献８】特開２０１２−１２６７
【発明の概要】
【発明が解決しようとする課題】
【０００６】
上記特許文献１は、手押しポンプを逆さまに自立させる形状としているが、別部品にするとそのボトルヘッド専用になり、汎用性に欠ける。汎用的にするためには、複雑化する恐れがある。ポンプヘッドを最初から自立可能な形状にすると、普段使用する際に、押しやすさに影響すると考えられる。
【０００７】
特許文献２、特許文献３は、いづれも漏斗を使用し、詰め替え作業の簡略化するアイデアだが、手押しポンプを任意の場所に置く必要がある。また漏斗を洗う手間がある。
【０００８】
特許文献４は、手押しポンプを抜き出さずに詰め替えは可能だが、じょうごを洗う手間がある。
【０００９】
特許文献５は、詰め替え用パックを詰め替え用ホルダーで保持して、手押しポンプを完全に取り外さず内容液を詰め替えるアイデアだが、詰め替え用パックから内容液を絞り出すときには、詰め替え用パックをホルダーから外す必要があると考えられる。
【００１０】
特許文献６、特許文献７も、取り外したポンプヘッドを任意の場所に置く必要がある。また詰め替え補助器具が大きく、高価になる可能性があり、詰め替え補助器具自体の置き場所の確保が必要である。
【００１１】
特許文献８も、取り外した手押しポンプを任意の場所に置く必要がある。壁面を利用するので、壁面付近で作業する必要があり、作業場所が限定される。詰め替え用パックから内容液を絞り出すときに、装置から取り外す必要があると考えられる。
【００１２】
以上のように、いづれも取り外したポンプヘッドを任意の場所に置く必要がある。ポンプヘッドを抜き出さずに済むものでも、補助する器具を洗う手間がある。他に器具自体が大きいなどの問題がある。
【課題を解決するための手段】
【００１３】
そこで、本発明は上記した点を解決するため、取り外したポンプヘッドを自立させるポンプヘッドスタンドを提案する。転倒しない重さで傾斜があり、かつポンプヘッドが収まる台に、手押しポンプの装着キャップを支える支持部を設け、手押しポンプが逆さになるスタンドを形成した。
【発明の効果】
【００１４】
以上のように本発明によれば、手押しポンプが逆さに自立し、吸上げ用パイプの内外に付着した内容液がこぼれることはない。そのためポンプヘッドを置いた場所も補助する器具も掃除する必要はない。
【００１５】
詰め替え用パックから内容液を絞り出すときに、取り外した手押しポンプもスタンドもそのままでよい。
スタンドは小型で、置き場所の確保も容易であり、単純な構造から安価に実現できると考える。
【図面の簡単な説明】
【００１６】
【図１】本発明の使用状態を示した斜視図。
【図２】本発明の基本形状を示した斜視図。
【図３】本発明の側面図。
【図４】本発明の背面図。
【図５】本発明の上面図。
【発明を実施するための形態】
【００１７】
以下、本発明の実施の形態について説明する。まず図１は本発明を使用しているときの斜視図である。
詰め替え用パック１から内容液を詰め替える際、ボトル２から手押しポンプ３を取り外す。
取り外した手押しポンプ３を逆さにして、ポンプヘッド４をポンプヘッド台５に置く。ポンプヘッド台５はさまざまなポンプヘッドが収まる形状とする。
装着キャップ６を指示部７で支え、吸い上げ用パイプ８が図のように上向きになるようにする。
【００１８】
次に図２について説明する。ポンプスタンドの図である。ポンプヘッド台５は手押しポンプ３が倒れない程度の重量があり、支持部７は装着キャップ６を覆い、手押しポンプ３が転倒しない構造とする。
【００１９】
次に図３及び図４について説明する。ポンプヘッド台５の内側は支持部７の方向に傾斜を持たせ、手押しポンプ３が安定するような形状にする。
【００２０】
次に図５について説明する。支持部７は装着キャップ６を覆うような形状にする。ポンプヘッド台５は、さまざまなポンプヘッドが収まる大きさとして、汎用性を持たせる。
【符号の説明】
【００２１】
１  詰め替え用パック
２  ボトル
３  手押しポンプ
４  ポンプヘッド
５  ポンプヘッド台
６  装着キャップ
７  支持部
８  吸い上げ用パイプ
【図１】
2017057018.tif 000003
【図２】
2017057018.tif 000004
【図３】
2017057018.tif 000005
【図４】
2017057018.tif 000006
【図５】
2017057018.tif 000007
(57)【要約】【課題】１００円均一のシーラーの熱で菓子で指を汚さない袋を提供する。【解決手段】菓子袋の中身を袋の下に下げ、袋の横幅に応じて指の大きさと長さに合わせて縦向きに１００円均一のシーラーの熱で数本、接着線で閉じる。その下をハサミで切り中身が見えるようにする。次にシーラーで接着した線の２ミリの中央を縦向きにハサミで切ると指にはめる筒状が３個以上出来るのでそれぞれ人差し指、中指、親指にはめ、中身をそれではさんで指を汚さず食べることが可能になる10０円均一のシーラーの熱利用指を汚さない袋3。【選択図】なし【特許請求の範囲】
【請求項１】
菓子袋の中身を袋の下に下げ、袋の横幅に応じて指の大きさと長さに合わせて縦向きに１００円均一のシーラーの熱で数本、接着線で閉じる。その下をハサミで切り中身が見えるようにする。次にシーラーで接着した線の２ミリの中央を縦向きにハサミで切ると指にはめる筒状が３個以上出来るのでそれぞれ人差し指、中指、親指にはめ、中身をそれではさんで指を汚さず食べることが可能になる10０円均一のシーラーの熱利用指を汚さない袋3。
【発明の詳細な説明】
【技術分野】
【０００１】
本発明は、１００円均一シーラー熱利用指を汚さない袋に関する。
【背景技術】
【０００２】
従来、１００円均一シーラー熱を利用した指を汚さない袋はなかった。
【０００３】
【特許文献１】特開平11-208756
【特許文献２】実登3016116
【発明の開示】
【発明が解決しようとする課題】
【０００４】
従来、菓子袋の菓子で指を汚すのは必至だった。        
【課題を解決するための手段】
【０００５】
１００円均一シーラー熱で指キャップを作り指を汚さない袋とした。 
【発明の効果】
【０００６】
中身の菓子を指を汚さず食べられる。
【発明を実施するための最良の形態】
【０００７】
以下、本発明の実施例について時系列的に文章で説明する。菓子袋の中身を袋の下に下げ、袋の横幅に応じて指の大きさと長さに合わせて縦向きに１００円均一のシーラーの熱で数本、接着線で閉じる。その下をハサミで切り中身が見えるようにする。次にシーラーで接着した線の２ミリの中央を縦向きにハサミで切ると指にはめる筒状が３個以上出来るのでそれぞれ人差し指、中指、親指にはめ、中身をそれではさんで指を汚さず食べることが可能になる10０円均一のシーラーの熱利用指を汚さない袋3。
【実施例】
【０００８】
上記の形態や特許文献の改良の如く実施される。
【産業上の利用可能性】
【０００９】
菓子袋を最大限利用して１００円均一シーラーという安価なもので指を汚さない付加価値が生まれ全菓子袋に対応でき既製菓子袋でも加工でき菓子需要が進む中この格安方法の需要の産業上の利用可能性は高いと解される。  
【手続補正書】
【提出日】平成29年2月14日(2017.2.14)
【手続補正１】
【補正対象書類名】特許請求の範囲
【補正対象項目名】全文
【補正方法】変更
【補正の内容】
【特許請求の範囲】
【請求項１】
菓子袋の中身を袋の下に下げ、袋の横幅に応じて指の大きさと長さに合わせて縦向きに１００円均一のシーラーの熱で数本、接着線で閉じる。接着線の下端をハサミで切り中身が見えるようにする。次にシーラーで接着した線の２ミリ幅の中央を縦向きにハサミで切ると指にはめる筒状が３個以上出来るのでそれぞれ人差し指、中指、親指にはめ、中身を人差し指、中指、親指にはめられた3個の筒状ではさんで指を汚さず食べることが可能になる10０円均一のシーラーの熱利用で接着線を形成することで指を汚さないための筒状のものを形成することができる袋3。
(57)【要約】      （修正有）【課題】ソーラーパネル等の機器が建物の内外に水平移動し、必要時に建物内側に折りたたみできる取り付け金具を提供する。【解決手段】前後移動自在のパネル支持腕２を備え且つ係止縁１１を有する一対の係止体１本体に設けられた溝４に沿ってソーラーパネル支持腕の前縁ボルト５が前後に平行に慴動、任意の位置に固定するパネル取り付け金具であって、係止体はパネル支持腕の前端ボルトが係止体と連結、係止体上面、もしくはその側面の溝を転支し、任意の位置で締め付け、固定、係止体の溝尾端部にて停止すると、ボルトを軸止とし、傾動折り畳み自在になり、懸吊する。【選択図】図１
2017057574.tif 000002
【特許請求の範囲】
【請求項１】
前後移動自在のパネル支持腕を備え且つ係止縁を有する一対の係止体本体に設けられた溝に沿ってソーラーパネル支持腕の前縁ボルトが前後に平行に慴動、任意の位置に固定することを特徴とするパネル取り付け金具であって、 前記係止体はパネル支持腕の前端ボルトが係止体と連結、係止体上面、もしくはその側面の溝を転支し、任意の位置で締め付け、固定、係止体の溝尾端部にて停止すると、ボルトを軸止とし、傾動折り畳み自在になり、懸吊する事を特徴とするソーラーパネルの取り付け金具。
【発明の詳細な説明】
【技術分野】
【０００１】
この発明は、ソーラーパネル等の取り付けに用いる金具の形状、仕組みに関する。
【背景技術】
【０００２】
従来のソーラーパネル等の取り付けに用いる金具は建物外壁，手すりに取り付けられ、パネルとその支持フレームは取り付け金具設置後は動くことが出来ないものである。
【先行技術文献】
【特許文献】
【０００３】
【特許文献１】特開平７−１６３９５号公報
【非特許文献】
【０００４】
【非特許文献１】テンダー著  「小学６年生からのわがや電力」燦燦出版  ２０１０年
【発明の概要】
【発明が解決しようとする課題】
【０００５】
しかしながら、以上の技術によれば、個人邸宅、集合住宅に於いてソーラーパネル据え付け後、市町村の条例、管理組合の申し合わせにより、建物の外に露出する機器、器具の設置を禁じられるケースがある。又、台風等の強風により取り付け部、パネルの破損、脱落の恐れがあった。そこで、この発明は、ソーラーパネル等の機器が建物の内外に水平移動し、必要時には建物内にて折りたたみできる取り付け金具を提供することを課題とする。
【課題を解決するための手段】
【０００６】
以上の課題を解決するために、本発明は、パネル支持腕が手すり取り付け係止体と並列に前後移動自在、任意の位置に固定できるようにしたことを特徴とするソーラーパネル取り付け金具である。また、本発明は、パネル支持腕が係止体に連結されたまま、フルに後退した時傾動自在になり、パネルと支持腕が下方向に懸架するようにしたことを特徴とする取り付け金具である。図１の実施形態では、取り付け係止体、パネル支持腕は筒状であったが、他の実施形態では、スライドレール状でも良い。
ソーラーパネルは結晶シリコンソーラーパネル、１２V１００W、１．０x０．５m、アルミフレームを採用した。ソーラーパネルで発生した直流電流をチャージコントローラーを介し１２V鉛蓄電池に充電し、インバーターに接続して鉛蓄電池の１２V直流電流を交流１００Vに変換し、テレビ、冷蔵庫を長時間稼働させた。普段はソーラーパネル、パネル支持腕、フレームは一体となり手すりに固定した係止体の溝で転支され、建物の内外に延出、引き込みし、長期間確実、安全に固定しているが、台風が予想される時、強風によるパネルの破損、脱落を防ぐため、一体となるソーラーパネル、パネル支持腕、とフレームを溝後縁が閉じる位置までいっぱい後ろにスライド、下に転回し、手すり裏でパネルとパネル支持フレームボルトを外し、折り畳み、コンパクト、安全に収納した。
【発明の効果】
【０００７】
本発明によれば、ソーラーパネルを建物内に後退、任意の位置に固定し、パネル設置の市町村の条例，管理組合の申し合わせから生ずる設置不可トラブルを回避し、強風時においてはパネルを手すり裏側で折り畳む事が出来るので，取り付け金具の破損、パネルの脱落を防止することができる。
【図面の簡単な説明】
【０００８】
【図１】この発明の一実施形態を示す斜視図である。
【図２】この発明の一実施形態を示す斜視図である。
【図３】この発明の一実施形態を示す側面図である。
【図４】この発明の一実施形態を示す写真である。
【発明を実施するための形態】
【０００９】
この発明の一実施形態を、図１、２、３、４に示す。
【００１０】
取り付け金具の本体係止体１は金属製、プラスティック等の筒体であり、係止体１下部は手すり等にＵボルトで挟み込んだり、アンカーボルトでねじ込み固定する係止縁を有する。この係止体１の側面には前端から溝４が設けられ、後端部手前で閉じられている。
この実施形態によれば、パネル支持腕２は係止体１を内接し前後移動自在に滑動、後退し建物内にソーラーパネル６が固定されると地上からはその存在も見えにくくなる。係止体１の溝４が閉じられる溝後滑止部に当たるとパネル支持腕２の引き込みが停止し、ボルト５が軸支されると同時に係止体後端底部の切り欠きにて下方向に回動自在となりパネル支持腕２は外筒の係止体１内での前後水平方向のみの移動から解放され、傾動自在となり垂下する。ソーラーパネル５とパネル支持腕２は手すり７裏側に懸装できるので、強風による破損、パネルの脱落を防止できる。  
【実施例】
【００１１】
１x０．５ｍのサイズを採用した１２Ｖ１００Ｗシリコン単結晶ソーラーパネル６はアルミ製枠を有し、パネル支持フレーム３、パネル支持腕２の前縁ボルト５左右の３点位置にて一対の係止体１と連結、固定、一体化した。日本にて太陽光がソーラーパネル６となす角度が電気変換効率が最大になる直角になるようにパネル支持腕２とソーラーパネル６からなる角度は約３０％とした。角管で構成されたパネル支持腕２前端内部にはパネル固定ボルト５をねじ込み固定できるようブラインドナットを設けた。ボルト５は係止体１に設けられた溝４の任意の位置に固定したり、溝４後端停止部において回動するための軸となる。係止体１後端から始まり１センチほどで閉じる溝にパネル支持フレーム３底部とパネル支持腕２後端がボルトにて連結、同時に三者を締め付け、ソーラーパネル本体を建物外に露出、固定した。又、ソーラーパネル６、パネル支持フレーム３、パネル支持腕２は手すり裏に垂下し、収納可能であった。
【符号の説明】
【００１２】
１  係止体          
２  パネル支持腕
３  パネル支持フレーム
４  溝
５  ボルト                
６  ソーラーパネル
７  手すり                  
８  電源コード
９  チャージコントローラー
１０  バッテリー
１１  係止縁
１２  床面
１３  ベランダ壁面
【図１】
2017057574.tif 000003
【図２】
2017057574.tif 000004
【図３】
2017057574.tif 000005
【図４】
2017057574.tif 000006